(57)【要約】      （修正有）【課題】コストが低く、消費電力が少なく、信頼性の高い省エネルギーランプ切換装置に適用できる省エネルギーランプ電源供給モジュールを提供する。【解決手段】省エネルギーランプ電源供給モジュールは、整流器４０、省エネルギーランプ切換装置１０及び省エネルギーランプユニット５２に組み合わされる。省エネルギーランプ電源供給モジュールは、電源処理ユニット７４２及び状態電位ユニット７４４を含む。電源処理ユニットは、整流器及び省エネルギーランプユニットに電気的に接続される。状態電位ユニットは、省エネルギーランプ切換装置及び電源処理ユニットに電気的に接続される。電源処理ユニットは、省エネルギーランプユニットが必要とする電源を出力する。状態電位ユニットは、電源処理ユニットが正常に作動する際に必要な正常状態電位又は電源処理ユニットが異常に作動する際に反応して発生する異常状態電位を提供する。【選択図】図１
0003198077.tif 000002
【実用新案登録請求の範囲】
【請求項１】
整流器、省エネルギーランプ切換装置及び省エネルギーランプユニットに組み合わされる省エネルギーランプ電源供給モジュールであって、前記省エネルギーランプ電源供給モジュールは、
前記整流器及び前記省エネルギーランプユニットに電気的に接続され、前記省エネルギーランプユニットが必要とする電源を出力する電源処理ユニットと、
前記省エネルギーランプ切換装置及び電源処理ユニットに電気的に接続され、前記電源処理ユニットが正常に作動する際に必要な正常状態電位又は前記電源処理ユニットが異常に作動する際に反応して発生する異常状態電位を提供する状態電位ユニットと、を含むことを特徴とする省エネルギーランプ電源供給モジュール。
【請求項２】
前記状態電位ユニットは、前記省エネルギーランプ切換装置に電気的に接続される分離式制御インターフェースを含むことを特徴とする請求項１に記載の省エネルギーランプ電源供給モジュール。
【請求項３】
前記電源処理ユニットは、
陽極が前記整流器に電気的に接続されるダイオードと、
前記ダイオードの陰極に電気的に接続される入力端フィルタコンデンサユニットと、
前記入力端フィルタコンデンサユニット及び前記省エネルギーランプユニットに電気的に接続される電源変換ユニットと、を含み、
前記状態電位ユニットは、
前記整流器及び前記ダイオードの陽極に電気的に接続される起動ユニットと、
前記起動ユニット、前記電源変換ユニット及び前記分離式制御インターフェースに電気的に接続される起動入力端と、をさらに含むことを特徴とする請求項２に記載の省エネルギーランプ電源供給モジュール。
【請求項４】
前記電源処理ユニットは、
陽極が前記整流器に電気的に接続されるダイオードと、
前記ダイオードの陰極に電気的に接続される入力端フィルタコンデンサユニットと、
前記入力端フィルタコンデンサユニット及び前記省エネルギーランプユニットに電気的に接続される電源変換ユニットと、を含み、
前記状態電位ユニットは、
前記整流器及び前記ダイオードの陽極に電気的に接続される不足電圧ロックアウト検出ユニットと、
前記不足電圧ロックアウト検出ユニット、前記電源変換ユニット及び前記分離式制御インターフェースに電気的に接続される不足電圧ロックアウト入力端と、をさらに含むことを特徴とする請求項２に記載の省エネルギーランプ電源供給モジュール。
【請求項５】
前記電源処理ユニットは、
陽極が前記整流器に電気的に接続されるダイオードと、
前記ダイオードの陰極及び前記省エネルギーランプユニットに電気的に接続される入力端フィルタコンデンサユニットと、
前記省エネルギーランプユニットに電気的に接続される電子式スイッチと、を含み、
前記状態電位ユニットは、
前記整流器及び前記ダイオードの陽極に電気的に接続されるバイアス電圧ユニットと、
前記バイアス電圧ユニット、前記電子式スイッチ及び前記分離式制御インターフェースに電気的に接続されるスイッチ制御入力端と、をさらに含むことを特徴とする請求項２に記載の省エネルギーランプ電源供給モジュール。
【請求項６】
前記電源処理ユニットは、
前記整流器及び前記省エネルギーランプユニットに電気的に接続される電源変換ユニットを含み、
前記状態電位ユニットは、
前記電源変換ユニット及び前記分離式制御インターフェースに電気的に接続される起動入力端をさらに含むことを特徴とする請求項２に記載の省エネルギーランプ電源供給モジュール。
【請求項７】
前記電源処理ユニットは、
前記整流器及び前記省エネルギーランプユニットに電気的に接続される電源変換ユニットを含み、
前記状態電位ユニットは、
前記電源変換ユニット及び前記分離式制御インターフェースに電気的に接続される不足電圧ロックアウト入力端をさらに含むことを特徴とする請求項２に記載の省エネルギーランプ電源供給モジュール。
【請求項８】
前記電源処理ユニットは、
前記整流器及び前記省エネルギーランプユニットに電気的に接続される電源変換ユニットを含み、
前記状態電位ユニットは、
前記電源変換ユニット及び前記分離式制御インターフェースに電気的に接続される過電圧保護入力端をさらに含むことを特徴とする請求項２に記載の省エネルギーランプ電源供給モジュール。
【請求項９】
前記電源処理ユニットは、
前記整流器及び前記省エネルギーランプユニットに電気的に接続される電源変換ユニットを含み、
前記状態電位ユニットは、
前記電源変換ユニット及び前記分離式制御インターフェースに電気的に接続される過電流保護入力端をさらに含むことを特徴とする請求項２に記載の省エネルギーランプ電源供給モジュール。
【請求項１０】
前記電源処理ユニットは、
前記整流器及び前記省エネルギーランプユニットに電気的に接続される電子式スイッチを含み、
前記状態電位ユニットは、
前記電子式スイッチ及び前記省エネルギーランプ切換装置に電気的に接続されるスイッチ制御入力端を含むことを特徴とする請求項１に記載の省エネルギーランプ電源供給モジュール。
【請求項１１】
前記電源処理ユニットは、
陽極が前記整流器に電気的に接続されるダイオードと、
前記ダイオードの陰極に電気的に接続される力率改善器と、
前記力率改善器及び前記省エネルギーランプユニットに電気的に接続される電源変換ユニットと、を含み、
前記状態電位ユニットは、
前記整流器及び前記ダイオードの陽極に電気的に接続される起動ユニットと、
前記起動ユニット、前記電源変換ユニット及び前記分離式制御インターフェースに電気的に接続される起動入力端と、をさらに含むことを特徴とする請求項２に記載の省エネルギーランプ電源供給モジュール。
【請求項１２】
前記電源処理ユニットは、
陽極が前記整流器に電気的に接続されるダイオードと、
前記ダイオードの陰極に電気的に接続される力率改善器と、
前記力率改善器及び前記省エネルギーランプユニットに電気的に接続される電源変換ユニットと、を含み、
前記状態電位ユニットは、
前記整流器及び前記ダイオードの陽極に電気的に接続される不足電圧ロックアウト検出ユニットと、
前記不足電圧ロックアウト検出ユニット、前記電源変換ユニット及び前記分離式制御インターフェースに電気的に接続される不足電圧ロックアウト入力端と、をさらに含むことを特徴とする請求項２に記載の省エネルギーランプ電源供給モジュール。
【請求項１３】
前記電源処理ユニットは、
前記整流器に電気的に接続される力率改善器と、
前記力率改善器及び前記省エネルギーランプユニットに電気的に接続される電源変換ユニットと、を含み、
前記状態電位ユニットは、
前記整流器及び前記力率改善器に電気的に接続される起動ユニットと、
前記起動ユニット、前記電源変換ユニット及び前記分離式制御インターフェースに電気的に接続される起動入力端と、をさらに含むことを特徴とする請求項２に記載の省エネルギーランプ電源供給モジュール。
【請求項１４】
前記電源処理ユニットは、
前記整流器に電気的に接続される力率改善器と、
前記力率改善器及び前記省エネルギーランプユニットに電気的に接続される電源変換ユニットと、を含み、
前記状態電位ユニットは、
前記整流器及び前記力率改善器に電気的に接続される不足電圧ロックアウト検出ユニットと、
前記不足電圧ロックアウト検出ユニット、前記電源変換ユニット及び前記分離式制御インターフェースに電気的に接続される不足電圧ロックアウト入力端と、をさらに含むことを特徴とする請求項２に記載の省エネルギーランプ電源供給モジュール。
【請求項１５】
前記電源処理ユニットは、
前記整流器に電気的に接続される昇圧型能動力率改善器と、
前記昇圧型能動力率改善器及び前記省エネルギーランプユニットに電気的に接続される電源変換ユニットと、を含み、
前記状態電位ユニットは、
前記昇圧型能動力率改善器に電気的に接続される起動ユニットと、
前記起動ユニット、電源変換ユニット及び分離式制御インターフェースに電気的に接続される起動入力端と、をさらに含み、
前記昇圧型能動力率改善器は、
前記整流器及び前記起動ユニットに電気的に接続される制御モジュールと、
陽極が前記制御モジュール及び前記起動ユニットに電気的に接続される昇圧ダイオードと、
前記昇圧ダイオードの陰極及び前記電源変換ユニットに電気的に接続されるエネルギー蓄積コンデンサユニットと、を含むことを特徴とする請求項２に記載の省エネルギーランプ電源供給モジュール。
【請求項１６】
前記電源処理ユニットは、
前記整流器に電気的に接続される昇圧型能動力率改善器と、
前記昇圧型能動力率改善器及び省エネルギーランプユニットに電気的に接続される電源変換ユニットと、を含み、
前記状態電位ユニットは、
前記昇圧型能動力率改善器に電気的に接続される不足電圧ロックアウト検出ユニットと、
前記不足電圧ロックアウト検出ユニット、電源変換ユニット及び分離式制御インターフェースに電気的に接続される不足電圧ロックアウト入力端と、をさらに含み、
前記昇圧型能動力率改善器は、
前記整流器及び前記不足電圧ロックアウト検出ユニットに電気的に接続される制御モジュールと、
陽極が前記制御モジュール及び前記不足電圧ロックアウト検出ユニットに電気的に接続される昇圧ダイオードと、
前記昇圧ダイオードの陰極及び前記電源変換ユニットに電気的に接続されるエネルギー蓄積コンデンサユニットと、を含むことを特徴とする請求項２に記載の省エネルギーランプ電源供給モジュール。
【考案の詳細な説明】
【技術分野】
【０００１】
本考案は、電源供給モジュールに関し、特に、省エネルギーランプ電源供給モジュールに関する。
【背景技術】
【０００２】
世界的に環境保護に対する意識が高まっているため、遠くない将来、例えば、蛍光灯(fluorescent lamp)、ＬＥＤランプなどの省エネルギーランプ(energy saving lamp)が白熱灯(incandescent lamp)に代わって照明の主流となると予測されている。上述のこれらの省エネルギーランプ中、蛍光灯の電源供給モジュールは、一般にバラスト(ballast)と称し、ＬＥＤランプの電源供給モジュールは、一般にドライバ(driver)と称する。
【０００３】
蛍光灯及びＬＥＤランプは、それぞれ異なる長所を有する。蛍光灯は、高輝度であることが長所であり、読書時での使用に適用される。ＬＥＤランプは、高輝度を必要としない（例えば、睡眠時）場合での使用に適用される。現在、市場においては、両者が結合され、切換制御を行うことができる装置が存在し、様々な状況に対応できるようになっている。即ち、蛍光灯を使用する必要がある場合、蛍光灯に切り換え、ＬＥＤランプを使用する必要がある場合、ＬＥＤランプに切り換えることができる装置が存在する。
【０００４】
しかし、上述従来の切換制御装置の多くは、継電器(relay)及びその関連回路で切換制御が行われるため、コストが高く、消費電力が多い（約５〜１０ｍＡ）上、信頼性が低い。また、切換制御を行う電源供給モジュールは、上述のコストが高く、消費電力が多い上、信頼性の低い切換制御装置にしか適用できない。
【先行技術文献】
【特許文献】
【０００５】
【特許文献１】特開２０１１−１５２０１９号公報
【考案の概要】
【考案が解決しようとする課題】
【０００６】
本考案の目的は、省エネルギーランプ電源供給モジュールを提供することにある。
【課題を解決するための手段】
【０００７】
上述の課題を解決するために、本考案は、省エネルギーランプ電源供給モジュールを提供するものである。本考案の省エネルギーランプ電源供給モジュールは、整流器、省エネルギーランプ切換装置及び省エネルギーランプユニットに組み合わされる。省エネルギーランプ電源供給モジュールは、整流器及び省エネルギーランプユニットに電気的に接続され、省エネルギーランプユニットが必要とする電源を出力する電源処理ユニットと、省エネルギーランプ切換装置及び電源処理ユニットに電気的に接続され、電源処理ユニットが正常に作動する際に必要な正常状態電位又は電源処理ユニットが異常に作動する際に反応して発生する異常状態電位を提供する状態電位ユニットと、を含む。
【０００８】
状態電位ユニットは、省エネルギーランプ切換装置に電気的に接続される分離式制御インターフェースを含む。
【０００９】
電源処理ユニットは、陽極が整流器に電気的に接続されるダイオードと、ダイオードの陰極に電気的に接続される入力端フィルタコンデンサユニットと、入力端フィルタコンデンサユニット及び省エネルギーランプユニットに電気的に接続される電源変換ユニットと、を含む。状態電位ユニットは、整流器及びダイオードの陽極に電気  的に接続される起動ユニットと、起動ユニット、電源変換ユニット及び分離式制御インターフェースに電気的に接続される起動入力端と、をさらに含む。
【００１０】
電源処理ユニットは、陽極が整流器に電気的に接続されるダイオードと、ダイオードの陰極に電気的に接続される入力端フィルタコンデンサユニットと、入力端フィルタコンデンサユニット及び省エネルギーランプユニットに電気的に接続される電源変換ユニットと、を含む。状態電位ユニットは、整流器及びダイオードの陽極に電気的に接続される不足電圧ロックアウト検出ユニットと、不足電圧ロックアウト検出ユニット、電源変換ユニット及び分離式制御インターフェースに電気的に接続される不足電圧ロックアウト入力端と、をさらに含む。
【００１１】
電源処理ユニットは、陽極が整流器に電気的に接続されるダイオードと、ダイオードの陰極及び省エネルギーランプユニットに電気的に接続される入力端フィルタコンデンサユニットと、省エネルギーランプユニットに電気的に接続される電子式スイッチと、を含む。状態電位ユニットは、整流器及びダイオードの陽極に電気的に接続されるバイアス電圧ユニットと、バイアス電圧ユニット、電子式スイッチ及び分離式制御インターフェースに電気的に接続されるスイッチ制御入力端と、をさらに含む。
【００１２】
電源処理ユニットは、整流器及び省エネルギーランプユニットに電気的に接続される電源変換ユニットを含む。状態電位ユニットは、電源変換ユニット及び分離式制御インターフェースに電気的に接続される起動入力端をさらに含む。
【００１３】
電源処理ユニットは、整流器及び省エネルギーランプユニットに電気的に接続される電源変換ユニットを含む。状態電位ユニットは、電源変換ユニット及び分離式制御インターフェースに電気的に接続される不足電圧ロックアウト入力端をさらに含む。
【００１４】
電源処理ユニットは、整流器及び省エネルギーランプユニットに電気的に接続される電源変換ユニットを含む。状態電位ユニットは、電源変換ユニット及び分離式制御インターフェースに電気的に接続される過電圧保護入力端をさらに含む。
【００１５】
電源処理ユニットは、整流器及び省エネルギーランプユニットに電気的に接続される電源変換ユニットを含む。状態電位ユニットは、電源変換ユニット及び分離式制御インターフェースに電気的に接続される過電流保護入力端をさらに含む。
【００１６】
電源処理ユニットは、整流器及び省エネルギーランプユニットに電気的に接続される電子式スイッチを含む。状態電位ユニットは、電子式スイッチ及び省エネルギーランプ切換装置に電気的に接続されるスイッチ制御入力端を含む。
【００１７】
電源処理ユニットは、陽極が整流器に電気的に接続されるダイオードと、ダイオードの陰極に電気的に接続される力率改善器と、力率改善器及び省エネルギーランプユニットに電気的に接続される電源変換ユニットと、を含む。状態電位ユニットは、整流器及びダイオードの陽極に電気的に接続される起動ユニットと、起動ユニット、電源変換ユニット及び分離式制御インターフェースに電気的に接続される起動入力端と、をさらに含む。
【００１８】
電源処理ユニットは、陽極が整流器に電気的に接続されるダイオードと、ダイオードの陰極に電気的に接続される力率改善器と、力率改善器及び省エネルギーランプユニットに電気的に接続される電源変換ユニットと、を含む。状態電位ユニットは、整流器及びダイオードの陽極に電気的に接続される不足電圧ロックアウト検出ユニットと、不足電圧ロックアウト検出ユニット、電源変換ユニット及び分離式制御インターフェースに電気的に接続される不足電圧ロックアウト入力端と、をさらに含む。
【００１９】
電源処理ユニットは、整流器に電気的に接続される力率改善器と、力率改善器及び省エネルギーランプユニットに電気的に接続される電源変換ユニットと、を含む。状態電位ユニットは、整流器及び力率改善器に電気的に接続される起動ユニットと、起動ユニット、電源変換ユニット及び分離式制御インターフェースに電気的に接続される起動入力端と、をさらに含む。
【００２０】
電源処理ユニットは、整流器に電気的に接続される力率改善器と、力率改善器及び省エネルギーランプユニットに電気的に接続される電源変換ユニットと、を含む。状態電位ユニットは、整流器及び力率改善器に電気的に接続される不足電圧ロックアウト検出ユニットと、不足電圧ロックアウト検出ユニット、電源変換ユニット及び分離式制御インターフェースに電気的に接続される不足電圧ロックアウト入力端と、をさらに含む。
【００２１】
電源処理ユニットは、整流器に電気的に接続される昇圧型能動力率改善器と、昇圧型能動力率改善器及び省エネルギーランプユニットに電気的に接続される電源変換ユニットと、を含む。状態電位ユニットは、昇圧型能動力率改善器に電気的に接続される起動ユニットと、起動ユニット、電源変換ユニット及び分離式制御インターフェースに電気的に接続される起動入力端と、をさらに含む。昇圧型能動力率改善器は、整流器及び起動ユニットに電気的に接続される制御モジュールと、陽極が制御モジュール及び起動ユニットに電気的に接続される昇圧ダイオードと、昇圧ダイオードの陰極及び電源変換ユニットに電気的に接続されるエネルギー蓄積コンデンサユニットと、を含む。
【００２２】
電源処理ユニットは、整流器に電気的に接続される昇圧型能動力率改善器と、昇圧型能動力率改善器及び省エネルギーランプユニットに電気的に接続される電源変換ユニットと、を含む。状態電位ユニットは、昇圧型能動力率改善器に電気的に接続される不足電圧ロックアウト検出ユニットと、不足電圧ロックアウト検出ユニット、電源変換ユニット及び分離式制御インターフェースに電気的に接続される不足電圧ロックアウト入力端と、をさらに含む。昇圧型能動力率改善器は、整流器及び不足電圧ロックアウト検出ユニットに電気的に接続される制御モジュールと、陽極が制御モジュール及び不足電圧ロックアウト検出ユニットに電気的に接続される昇圧ダイオードと、昇圧ダイオードの陰極及び電源変換ユニットに電気的に接続されるエネルギー蓄積コンデンサユニットと、を含む。
【考案の効果】
【００２３】
本考案の省エネルギーランプ電源供給モジュールは、コストが低く、消費電力が少なく、信頼性の高い省エネルギーランプ切換装置に適用できる。
【図面の簡単な説明】
【００２４】
【図１】本考案の省エネルギーランプ電源供給モジュールを示すブロック図である。
【図２】双安定マルチバイブレータ、初期状態セレクタ及び周辺回路を示すブロック図である。
【図３】電気エネルギー貯蔵ユニットを示すブロック図である。
【図４】本考案の省エネルギーランプ電源供給モジュールの第１実施例を示すブロック図である。
【図５】本考案の省エネルギーランプ電源供給モジュールの第２実施例を示すブロック図である。
【図６】本考案の省エネルギーランプ電源供給モジュールの第３実施例を示すブロック図である。
【図７】本考案の省エネルギーランプ電源供給モジュールの第４実施例を示すブロック図である。
【図８】本考案の省エネルギーランプ電源供給モジュールの第５実施例を示すブロック図である。
【図９】本考案の省エネルギーランプ電源供給モジュールの第６実施例を示すブロック図である。
【図１０】本考案の省エネルギーランプ電源供給モジュールの第７実施例を示すブロック図である。
【図１１】本考案の省エネルギーランプ電源供給モジュールの第８実施例を示すブロック図である。
【図１２】本考案の省エネルギーランプ電源供給モジュールの第９実施例を示すブロック図である。
【図１３】本考案の省エネルギーランプ電源供給モジュールの第１０実施例を示すブロック図である。
【図１４】本考案の省エネルギーランプ電源供給モジュールの第１１実施例を示すブロック図である。
【図１５】本考案の省エネルギーランプ電源供給モジュールの第１２実施例を示すブロック図である。
【図１６】本考案の省エネルギーランプ電源供給モジュールの第１３実施例を示すブロック図である。
【図１７】本考案の省エネルギーランプ電源供給モジュールの第１４実施例を示すブロック図である。
【図１８】整流器を示す回路図である。
【図１９】初期状態セレクタの接続方式１を示す回路図である。
【図２０】初期状態セレクタの接続方式２を示す回路図である。
【図２１】初期状態セレクタの接続方式３を示す回路図である。
【図２２】初期状態セレクタの接続方式４を示す回路図である。
【図２３】図４の実施例１を示す回路図である。
【図２４】図４の実施例２を示す回路図である。
【図２５】図４の実施例３を示す回路図である。
【図２６】図４の実施例４を示す回路図である。
【図２７】図５の実施例を示す回路図である。
【図２８】図６の実施例を示す回路図である。
【図２９】図７の実施例を示す回路図である。
【図３０】図９の実施例を示す回路図である。
【図３１】図１１の実施例を示す回路図である。
【図３２】図１２の実施例１を示す回路図である。
【図３３】図１２の実施例２を示す回路図である。
【図３４】図１３の実施例を示す回路図である。
【図３５】図１５の実施例を示す回路図である。
【図３６】図１６の実施例を示す回路図である。
【図３７】図１７の実施例を示す回路図である。
【図３８】図４〜図８及び図１２〜図１７のダイオード式分離式制御インターフェースの実施例を示す回路図である。
【図３９】図９及び図１０のダイオード式分離式制御インターフェースの実施例を示す回路図である。
【考案を実施するための形態】
【００２５】
本考案の詳細な説明及び技術内容に関しては、以下に示す説明及び図面を参照する。図面及び詳細な説明は、説明のためのみに用いるものであり、本考案を限定するものではない。
【００２６】
図１を参照する。図１は、本考案の省エネルギーランプ電源供給モジュールを示すブロック図である。本考案の第１省エネルギーランプ電源供給モジュール７０（又は第２省エネルギーランプ電源供給モジュール８０）は、省エネルギーランプ切換装置１０、交流電源装置２０、スイッチ３０、整流器４０及び省エネルギーランプユニット５２に組み合わされる。省エネルギーランプユニット５２は、第１省エネルギーランプ５０及び第２省エネルギーランプ６０を含む。スイッチ３０は、交流電源装置２０及び整流器４０に電気的に接続される。第１省エネルギーランプ電源供給モジュール７０は、第１省エネルギーランプ５０、整流器４０及び省エネルギーランプ切換装置１０に電気的に接続される。第２省エネルギーランプ電源供給モジュール８０は、第２省エネルギーランプ６０、整流器４０及び省エネルギーランプ切換装置１０に電気的に接続される。省エネルギーランプ切換装置１０は、整流器４０に電気的に接続される。
【００２７】
省エネルギーランプ電源供給モジュール７０は、電源処理ユニット７４２及び状態電位ユニット７４４を含む。電源処理ユニット７４２は、整流器４０及び省エネルギーランプユニット５２に電気的に接続される。状態電位ユニット７４４は、省エネルギーランプ切換装置１０及び電源処理ユニット７４２に電気的に接続される。
【００２８】
省エネルギーランプ切換装置１０は、電気エネルギー貯蔵ユニット１０２、双安定マルチバイブレータ１０４、初期状態セレクタ１０６及び切換信号入力端１０８を含む。図１に示す省エネルギーランプ切換装置１０に含まれる素子は一例を挙げたものであり、本考案を限定するものではなく、省エネルギーランプ切換機能を実現できる如何なる省エネルギーランプ切換装置（例えば、ハードウェア又はソフトウェアを使用して実現する）は、本考案の応用領域に含まれる。
【００２９】
電気エネルギー貯蔵ユニット１０２は、整流器７０に電気的に接続される。双安定マルチバイブレータ１０４は、電気エネルギー貯蔵ユニット１０２、第１省エネルギーランプ電源供給モジュール７０及び第２省エネルギーランプ電源供給モジュール８０に電気的に接続される。切換信号入力端１０８は、電気エネルギー貯蔵ユニット１０２及び双安定マルチバイブレータ１０４に電気的に接続される。初期状態セレクタ１０６は、双安定マルチバイブレータ１０４に電気的に接続される。
【００３０】
一実施方式中、例えば、スイッチ３０が初めてオンにされると、第１省エネルギーランプ５０が点灯し、第２省エネルギーランプ６０が点灯しない。次に、所定時間（例えば３秒）内において、スイッチ３０が再びオンにされる（２回目）と、第１省エネルギーランプ５０が点灯せず、第２省エネルギーランプ６０が点灯する。このようにして２つの省エネルギーランプ間における切り換えが実現される。
【００３１】
図２を参照する。図２は、双安定マルチバイブレータ、初期状態セレクタ及び周辺回路を示すブロック図である。初期状態セレクタ１０６は、初期状態コンデンサユニット１０６０２を含む。初期状態コンデンサユニット１０６０２の一方の端部は、双安定マルチバイブレータ１０４に電気的に接続される。初期状態コンデンサユニット１０６０２の他方の端部は、アース（回路のアース又は図１８〜図３７及び図３９中の回路の共同接続部分Ｂ１）に電気的に接続される。
【００３２】
双安定マルチバイブレータ１０４は、第１抵抗ユニット１０４０２、第２抵抗ユニット１０４０４、第１トランジスタ１０４０６、第２トランジスタ１０４０８、第３抵抗ユニット１０４１０、第４抵抗ユニット１０４１２、第１ダイオード１０４１４、第２ダイオード１０４１６、第５抵抗ユニット１０４１８、第６抵抗ユニット１０４２０、第１コンデンサユニット１０４２２及び第２コンデンサユニット１０４２４を含む。
【００３３】
第１抵抗ユニット１０４０２の一方の端部は、電気エネルギー貯蔵ユニット１０２に電気的に接続される。第１抵抗ユニット１０４０２の他方の端部は、第１省エネルギーランプ電源供給モジュール７０に電気的に接続される。第２抵抗ユニット１０４０４の一方の端部は、電気エネルギー貯蔵ユニット１０２及び第１抵抗ユニット１０４０２の一方の端部に電気的に接続される。第２抵抗ユニット１０４０４の他方の端部は、第２省エネルギーランプ電源供給モジュール８０に電気的に接続される。第１トランジスタ１０４０６の第１端は、第１抵抗ユニット１０４０２の他方の端部及び第１省エネルギーランプ電源供給モジュール７０に電気的に接続される。第１トランジスタ１０４０６の第３端は、アース（回路のアース又は図１８〜図３７及び図３９中の回路の共同接続部分Ｂ１）に電気的に接続される。第２トランジスタ１０４０８の第１端は、第２抵抗ユニット１０４０４の他方の端部及び第２省エネルギーランプ電源供給モジュール８０に電気的に接続される。第２トランジスタ１０４０８の第３端は、アース（回路のアース又は図１８〜図３７中の回路の共同接続部分Ｂ１）に電気的に接続される。
【００３４】
第３抵抗ユニット１０４１０の一方の端部は、第１トランジスタ１０４０６の第１端、第１抵抗ユニット１０４０２の他方の端部及び第１省エネルギーランプ電源供給モジュール７０に電気的に接続される。第３抵抗ユニット１０４１０の他方の端部は、第２トランジスタ１０４０８の第２端に電気的に接続される。第４抵抗ユニット１０４１２の一方の端部は、第１トランジスタ１０４０６の第２端に電気的に接続される。第４抵抗ユニット１０４１２の他方の端部は、第２トランジスタ１０４０８の第１端、第２抵抗ユニット１０４０４の他方の端部及び第２省エネルギーランプ電源供給モジュール８０に電気的に接続される。第１ダイオード１０４１４の陽極は、第１トランジスタ１０４０６の第２端及び第４抵抗ユニット１０４１２の一方の端部に電気的に接続される。第２ダイオード１０４１６の陽極は、第２トランジスタ１０４０８の第２端及び第３抵抗ユニット１０４１０の他方の端部に電気的に接続される。
【００３５】
第５抵抗ユニット１０４１８の一方の端部は、第１トランジスタ１０４０６の第１端、第１抵抗ユニット１０４０２の他方の端部、第３抵抗ユニット１０４１０の一方の端部及び第１省エネルギーランプ電源供給モジュール７０に電気的に接続される。第５抵抗ユニット１０４１８の他方の端部は、第１ダイオード１０４１４の陰極に電気的に接続される。第６抵抗ユニット１０４２０の一方の端部は、第２ダイオード１０４１６の陰極に電気的に接続される。第６抵抗ユニット１０４２０の他方の端部は、第２トランジスタ１０４０８の第１端、第２抵抗ユニット１０４０４の他方の端部、第４抵抗ユニット１０４１２の他方の端部及び第２省エネルギーランプ電源供給モジュール８０に電気的に接続される。
【００３６】
第１コンデンサユニット１０４２２の一方の端部は、第１ダイオード１０４１４の陰極及び第５抵抗ユニット１０４１８の他方の端部に電気的に接続される。第１コンデンサユニット１０４２２の他方の端部は、切換信号入力端１０８に電気的に接続される。第２コンデンサユニット１０４２４の一方の端部は、第２ダイオード１０４１６の陰極及び第６抵抗ユニット１０４２０の一方の端部に電気的に接続される。第２コンデンサユニット１０４２４の他方の端部は、切換信号入力端１０８及び第１コンデンサユニット１０４２２の他方の端部に電気的に接続される。
【００３７】
初期状態コンデンサユニット１０６０２が第１省エネルギーランプ電源供給モジュール７０の一方の側部に接続される（即ち、図２に示すように、初期状態コンデンサユニット１０６０２の一方の端部が第１トランジスタ１０４０６の第１端に電気的に接続され、初期状態コンデンサユニット１０６０２の他方の端部が回路のアース又は図１８〜図３７及び図３９中の回路の共同接続部分Ｂ１に電気的に接続される）か、或いは、第２トランジスタ１０４０８の第２端に接続される（即ち、初期状態コンデンサユニット１０６０２の一方の端部が第２トランジスタ１０４０８の第２端に電気的に接続され、初期状態コンデンサユニット１０６０２の他方の端部が回路のアース又は図１８〜図３７及び図３９中の回路の共同接続部分Ｂ１に電気的に接続される）場合、スイッチ３０が初めてオンにされると、第１省エネルギーランプ電源供給モジュール７０は、低電位（またはゼロ電位）制御信号を受信し、第２省エネルギーランプ電源供給モジュール８０は、高電位制御信号を受信する。初期状態コンデンサユニット１０６０２が第２省エネルギーランプ電源供給モジュール８０の一方の側部に接続される（即ち、初期状態コンデンサユニット１０６０２の一方の端部が第２トランジスタ１０４０８の第１端に接続され、初期状態コンデンサユニット１０６０２の他方の端部が回路のアース又は図１８〜図３７及び図３９中の回路の共同接続部分Ｂ１に電気的に接続される）か、或いは、第１トランジスタ１０４０６の第２端に接続される（即ち、初期状態コンデンサユニット１０６０２の一方の端部が第１トランジスタ１０４０６の第２端に電気的に接続され、初期状態コンデンサユニット１０６０２の他方の端部が回路のアース又は図１８〜図３７及び図３９中の回路の共同接続部分Ｂ１に電気的に接続される）場合、スイッチ３０が初めてオンにされると、第１省エネルギーランプ電源供給モジュール７０は、高電位制御信号を受信し、第２省エネルギーランプ電源供給モジュール８０は、低電位（又はゼロ電位）制御信号を受信する。これにより、初期状態選択の機能が実現される上、切り換えの信頼性が高まる。
【００３８】
図２中、第２省エネルギーランプ電源供給モジュール８０は、第２抵抗ユニット１０４０４、第４抵抗ユニット１０４１２、第２トランジスタ１０４０８及び第６抵抗ユニット１０４２０に電気的に接続されず、第１省エネルギーランプ電源供給モジュール７０と同一の側部において、第１抵抗ユニット１０４０２、第３抵抗ユニット１０４１０、第１トランジスタ１０４０６、第５抵抗ユニット１０４１８及び初期状態セレクタ１０６に電気的に接続される態様でもよい。この場合、第１省エネルギーランプ５０が点灯する条件として、第１省エネルギーランプ電源供給モジュール７０が高電位制御信号を受信する必要があり、第２省エネルギーランプ６０が点灯する条件として、第２省エネルギーランプ電源供給モジュール８０が低電位（又はゼロ電位）制御信号を受信する必要がある。或いは、第１省エネルギーランプ５０が点灯する条件として、第１省エネルギーランプ電源供給モジュール７０が低電位（又はゼロ電位）制御信号を受信する必要があり、第２省エネルギーランプ６０が点灯する条件として、第２省エネルギーランプ電源供給モジュール８０が高電位制御信号を受信する必要がある。
【００３９】
図３を参照する。図３は、電気エネルギー貯蔵ユニットを示すブロック図である。電気エネルギー貯蔵ユニット１０２は、第７抵抗ユニット１０２０２、第８抵抗ユニット１０２０４、第３コンデンサユニット１０２０６、第３ダイオード１０２０８、第４コンデンサユニット１０２１０及びツェナーダイオード１０２１２を含む。
【００４０】
第７抵抗ユニット１０２０２の一方の端部は、整流器４０に電気的に接続される。第７抵抗ユニット１０２０２の他方の端部は、切換信号入力端１０８に電気的に接続される。第８抵抗ユニット１０２０４の一方の端部は、第７抵抗ユニット１０２０２の他方の端部及び切換信号入力端１０８に電気的に接続される。第８抵抗ユニット１０２０４の他方の端部は、アース（回路のアース又は図１８〜図３７及び図３９中の回路の共同接続部分Ｂ１）に電気的に接続される。第３コンデンサユニット１０２０６の一方の端部は、第７抵抗ユニット１０２０２の他方の端部、第８抵抗ユニット１０２０４の一方の端部及び切換信号入力端１０８に電気的に接続される。第３コンデンサユニット１０２０６の他方の端部は、アース（回路のアース又は図１８〜図３７及び図３９中の回路の共同接続部分Ｂ１）に電気的に接続される。
【００４１】
第３ダイオード１０２０８の陽極は、第７抵抗ユニット１０２０２の他方の端部、第８抵抗ユニット１０２０４の一方の端部、第３コンデンサユニット２０６の一方の端部及び切換信号入力端１０８に電気的に接続される。第３ダイオード１０２０８の陰極は、双安定マルチバイブレータ１０４に電気的に接続される。第４コンデンサユニット１０２１０の一方の端部は、第３ダイオード１０２０８の陰極及び双安定マルチバイブレータ１０４に電気的に接続される。第４コンデンサユニット１０２１０の他方の端部は、
アース（回路のアース又は図１８〜図３７及び図３９中の回路の共同接続部分Ｂ１）に電気的に接続される。ツェナーダイオード１０２１２の陰極は、第３ダイオード１０２０８の陰極、双安定マルチバイブレータ１０４及び第４コンデンサユニット１０２１０の一方の端部に電気的に接続される。ツェナーダイオード１０２１２の陽極は、アース（回路のアース又は図１８〜図３７及び図３９中の回路の共同接続部分Ｂ１）に電気的に接続される。
【００４２】
図４を参照する。図４は、本考案の省エネルギーランプ電源供給モジュールの第１実施例を示すブロック図である。図１と同一の素子の電気的接続及び電気的プロセスは、ここでは贅言しない。電源処理ユニット７４２は、ダイオード７０２、入力端フィルタコンデンサユニット７０４及び電源変換ユニット７０６を含む。状態電位ユニット７４４は、起動ユニット７０８、起動入力端７１０及び分離式制御インターフェース７１２を含む。
【００４３】
ダイオード７０２の陽極は、整流器４０に接続される。入力端フィルタコンデンサユニット７０４は、ダイオード７０２の陰極に電気的に接続される。電源変換ユニット７０６は、入力端フィルタコンデンサユニット７０４及び省エネルギーランプユニット５２（図中、第１省エネルギーランプ５０に電気的に接続される）に電気的に接続される。起動ユニット７０８は、整流器４０及びダイオード７０２の陽極に電気的に接続される。起動入力端７１０は、起動ユニット７０８及び電源変換ユニット７０６に電気的に接続される。分離式制御インターフェース７１２は、起動入力端７１０及び双安定マルチバイブレータ１０４に電気的に接続される。
【００４４】
図５を参照する。図５は、本考案の省エネルギーランプ電源供給モジュールの第２実施例を示すブロック図である。図１と同一の素子の電気的接続及び電気的プロセスは、ここでは贅言しない。電源処理ユニット７４２は、ダイオード７０２、入力端フィルタコンデンサユニット７０４及び電源変換ユニット７０６を含む。状態電位ユニット７４４は、不足電圧ロックアウト検出ユニット７３０、不足電圧ロックアウト入力端７３２及び分離式制御インターフェース７１２を含む。
【００４５】
ダイオード７０２の陽極は、整流器４０に接続される。入力端フィルタコンデンサユニット７０４は、ダイオード７０２の陰極に電気的に接続される。電源変換ユニット７０６は、入力端フィルタコンデンサユニット７０４及び省エネルギーランプユニット５２（図中、第１省エネルギーランプ５０に電気的に接続される）に電気的に接続される。不足電圧ロックアウト検出ユニット７３０は、整流器４０及びダイオード７０２の陽極に電気的に接続される。不足電圧ロックアウト入力端７３２は、不足電圧ロックアウト検出ユニット７３０及び電源変換ユニット７０６に電気的に接続される。分離式制御インターフェース７１２は、不足電圧ロックアウト入力端７３２及び双安定マルチバイブレータ１０４に電気的に接続される。
【００４６】
図６を参照する。図６は、本考案の省エネルギーランプ電源供給モジュールの第３実施例を示すブロック図である。図１と同一の素子の電気的接続及び電気的プロセスは、ここでは贅言しない。電源処理ユニット７４２は、ダイオード７０２、入力端フィルタコンデンサユニット７０４及び電子式スイッチ７１８を含む。状態電位ユニット７４４は、バイアス電圧ユニット７２０、スイッチ制御入力端７２２及び分離式制御インターフェース７１２を含む。
【００４７】
ダイオード７０２の陽極は、整流器４０に接続される。入力端フィルタコンデンサユニット７０４は、ダイオード７０２の陰極及び省エネルギーランプユニット５２（図中、第１省エネルギーランプ５０に電気的に接続される）に電気的に接続される。電子式スイッチ７１８は、省エネルギーランプユニット５２（図中、第１省エネルギーランプ５０に電気的に接続される）に電気的に接続される。バイアス電圧ユニット７２０は、整流器４０及びダイオード７０２の陽極に電気的に接続される。スイッチ制御入力端７２２は、バイアス電圧ユニット７２０及び電子式スイッチ７１８に電気的に接続される。分離式制御インターフェース７１２は、スイッチ制御入力端７２２及び双安定マルチバイブレータ１０４に電気的に接続される。図２８に示すように、電子式スイッチ７１８は、制限電流抵抗ユニットＲ３７を含んでもよい。
【００４８】
図７を参照する。図７は、本考案の省エネルギーランプ電源供給モジュールの第４実施例を示すブロック図である。図１と同一の素子の電気的接続及び電気的プロセスは、ここでは贅言しない。電源処理ユニット７４２は、電源変換ユニット７０６を含む。状態電位ユニット７４４は、起動入力端７１０及び分離式制御インターフェース７１２を含む。
【００４９】
電源変換ユニット７０６は、整流器４０及び省エネルギーランプユニット５２（図中、第１省エネルギーランプ５０に電気的に接続される）に電気的に接続される。起動入力端７１０は、電源変換ユニット７０６に電気的に接続される。分離式制御インターフェース７１２は、起動入力端７１０及び双安定マルチバイブレータ１０４に電気的に接続される。
【００５０】
図８を参照する。図８は、本考案の省エネルギーランプ電源供給モジュールの第５実施例を示すブロック図である。図１と同一の素子の電気的接続及び電気的プロセスは、ここでは贅言しない。電源処理ユニット７４２は、電源変換ユニット７０６を含む。状態電位ユニット７４４は、不足電圧ロックアウト入力端７３２及び分離式制御インターフェース７１２を含む。
【００５１】
電源変換ユニット７０６は、整流器４０及び省エネルギーランプユニット５２（図中、第１省エネルギーランプ５０に電気的に接続される）に電気的に接続される。不足電圧ロックアウト入力端７３２は、電源変換ユニット７０６に電気的に接続される。分離式制御インターフェース７１２は、不足電圧ロックアウト入力端７３２及び双安定マルチバイブレータ１０４に電気的に接続される。
【００５２】
図９を参照する。図９は、本考案の省エネルギーランプ電源供給モジュールの第６実施例を示すブロック図である。図１と同一の素子の電気的接続及び電気的プロセスは、ここでは贅言しない。電源処理ユニット７４２は、電源変換ユニット７０６を含む。状態電位ユニット７４４は、過電圧保護入力端７２４及び分離式制御インターフェース７１２を含む。
【００５３】
電源変換ユニット７０６は、整流器４０及び省エネルギーランプユニット５２（図中、第１省エネルギーランプ５０に電気的に接続される）に電気的に接続される。過電圧保護入力端７２４は、電源変換ユニット７０６に電気的に接続される。分離式制御インターフェース７１２は、過電圧保護入力端７２４及び双安定マルチバイブレータ１０４に電気的に接続される。
【００５４】
図１０を参照する。図１０は、本考案の省エネルギーランプ電源供給モジュールの第７実施例を示すブロック図である。図１と同一の素子の電気的接続及び電気的プロセスは、ここでは贅言しない。電源処理ユニット７４２は、電源変換ユニット７０６を含む。状態電位ユニット７４４は、過電流保護入力端７２６及び分離式制御インターフェース７１２を含む。
【００５５】
電源変換ユニット７０６は、整流器４０及び省エネルギーランプユニット５２（図中、第１省エネルギーランプ５０に電気的に接続される）に電気的に接続される。過電流保護入力端７２６は、電源変換ユニット７０６に電気的に接続される。分離式制御インターフェース７１２は、過電流保護入力端７２６及び双安定マルチバイブレータ１０４に電気的に接続される。
【００５６】
図１１を参照する。図１１は、本考案の省エネルギーランプ電源供給モジュールの第８実施例を示すブロック図である。図１と同一の素子の電気的接続及び電気的プロセスは、ここでは贅言しない。電源処理ユニット７４２は、電子式スイッチ７１８を含む。状態電位ユニット７４４は、スイッチ制御入力端７２２を含む。
【００５７】
電子式スイッチ７１８は、整流器４０及び省エネルギーランプユニット５２（図中、第１省エネルギーランプ５０に電気的に接続される）に電気的に接続される。スイッチ制御入力端７２２は、電子式スイッチ７１８及び双安定マルチバイブレータ１０４に電気的に接続される。図３１に示すように、電子式スイッチ７１８は、制限電流抵抗ユニットＲ６を含んでもよい。
【００５８】
図１２を参照する。図１２は、本考案の省エネルギーランプ電源供給モジュールの第９実施例を示すブロック図である。図１と同一の素子の電気的接続及び電気的プロセスは、ここでは贅言しない。電源処理ユニット７４２は、ダイオード７０２、力率改善器７２８及び電源変換ユニット７０６を含む。状態電位ユニット７４４は、起動ユニット７０８、起動入力端７１０及び分離式制御インターフェース７１２を含む。
【００５９】
ダイオード７０２の陽極は、整流器４０に電気的に接続される。力率改善器７２８は、ダイオード７０２の陰極に電気的に接続される。電源変換ユニット７０６は、力率改善器７２８及び省エネルギーランプユニット５２（図中、第１省エネルギーランプ５０に電気的に接続される）に電気的に接続される。起動ユニット７０８は、整流器４０及びダイオード７０２の陽極に電気的に接続される。起動入力端７１０は、起動ユニット７０８及び電源変換ユニット７０６に電気的に接続される。分離式制御インターフェース７１２は、起動入力端７１０及び双安定マルチバイブレータ１０４に電気的に接続される。
【００６０】
図１３を参照する。図１３は、本考案の省エネルギーランプ電源供給モジュールの第１０実施例を示すブロック図である。図１と同一の素子の電気的接続及び電気的プロセスは、ここでは贅言しない。電源処理ユニット７４２は、ダイオード７０２、力率改善器７２８及び電源変換ユニット７０６を含む。状態電位ユニット７４４は、不足電圧ロックアウト検出ユニット７３０、不足電圧ロックアウト入力端７３２及び分離式制御インターフェース７１２を含む。
【００６１】
ダイオード７０２の陽極は、整流器４０に電気的に接続される。力率改善器７２８は、ダイオード７０２の陰極に電気的に接続される。電源変換ユニット７０６は、力率改善器７２８及び省エネルギーランプユニット５２（図中、第１省エネルギーランプ５０に電気的に接続される）に電気的に接続される。不足電圧ロックアウト検出ユニット７３０は、整流器４０及びダイオード７０２の陽極に電気的に接続される。不足電圧ロックアウト入力端７３２は、不足電圧ロックアウト検出ユニット７３０及び電源変換ユニット７０６に電気的に接続される。分離式制御インターフェース７１２は、不足電圧ロックアウト入力端７３２及び双安定マルチバイブレータ１０４に電気的に接続される。
【００６２】
図１４を参照する。図１４は、本考案の省エネルギーランプ電源供給モジュールの第１１実施例を示すブロック図である。図１と同一の素子の電気的接続及び電気的プロセスは、ここでは贅言しない。電源処理ユニット７４２は、力率改善器７２８及び電源変換ユニット７０６を含む。状態電位ユニット７４４は、起動ユニット７０８、起動入力端７１０及び分離式制御インターフェース７１２を含む。
【００６３】
力率改善器７２８は、整流器４０に電気的に接続される。電源変換ユニット７０６は、力率改善器７２８及び省エネルギーランプユニット５２（図中、第１省エネルギーランプ５０に電気的に接続される）に電気的に接続される。起動ユニット７０８は、整流器４０及び力率改善器７２８に電気的に接続される。起動入力端７１０は、起動ユニット７０８及び電源変換ユニット７０６に電気的に接続される。分離式制御インターフェース７１２は、起動入力端７１０及び双安定マルチバイブレータ１０４に電気的に接続される。
【００６４】
図１５を参照する。図１５は、本考案の省エネルギーランプ電源供給モジュールの第１２実施例を示すブロック図である。図１と同一の素子の電気的接続及び電気的プロセスは、ここでは贅言しない。電源処理ユニット７４２は、力率改善器７２８及び電源変換ユニット７０６を含む。状態電位ユニット７４４は、不足電圧ロックアウト検出ユニット７３０、不足電圧ロックアウト入力端７３２及び分離式制御インターフェース７１２を含む。
【００６５】
力率改善器７２８は、整流器４０に電気的に接続される。電源変換ユニット７０６は、力率改善器７２８及び省エネルギーランプユニット５２（図中、第１省エネルギーランプ５０に電気的に接続される）に電気的に接続される。不足電圧ロックアウト検出ユニット７３０は、整流器４０及び力率改善器７２８に電気的に接続される。不足電圧ロックアウト入力端７３２は、不足電圧ロックアウト検出ユニット７３０及び電源変換ユニット７０６に電気的に接続される。分離式制御インターフェース７１２は、不足電圧ロックアウト入力端７３２及び双安定マルチバイブレータ１０４に電気的に接続される。
【００６６】
図１６を参照する。図１６は、本考案の省エネルギーランプ電源供給モジュールの第１３実施例を示すブロック図である。図１と同一の素子の電気的接続及び電気的プロセスは、ここでは贅言しない。電源処理ユニット７４２は、昇圧型能動力率改善器７３４及び電源変換ユニット７０６を含む。状態電位ユニット７４４は、起動ユニット７０８、起動入力端７１０及び分離式制御インターフェース７１２を含む。昇圧型能動力率改善器７３４は、制御モジュール７３６、昇圧ダイオード７３８及びエネルギー蓄積コンデンサユニット７４０を含む。
【００６７】
昇圧型能動力率改善器７３４は、整流器４０に電気的に接続される。電源変換ユニット７０６は、昇圧型能動力率改善器７３４及び省エネルギーランプユニット５２（図中、第１省エネルギーランプ５０に電気的に接続される）に電気的に接続される。起動ユニット７０８は、昇圧型能動力率改善器７３４に電気的に接続される。起動入力端７１０は、起動ユニット７０８及び電源変換ユニット７０６に電気的に接続される。分離式制御インターフェース７１２は、起動入力端７１０及び双安定マルチバイブレータ１０４に電気的に接続される。制御モジュール７３６は、整流器４０及び起動ユニット７０８に電気的に接続される。昇圧ダイオード７３８の陽極は、制御モジュール７３６及び起動ユニット７０８に電気的に接続される。エネルギー蓄積コンデンサユニット７４０は、昇圧ダイオード７３８の陰極及び電源変換ユニット７０６に電気的に接続される。
【００６８】
図１７を参照する。図１７は、本考案の省エネルギーランプ電源供給モジュールの第１４実施例を示すブロック図である。図１と同一の素子の電気的接続及び電気的プロセスは、ここでは贅言しない。電源処理ユニット７４２は、昇圧型能動力率改善器７３４及び電源変換ユニット７０６を含む。状態電位ユニット７４４は、不足電圧ロックアウト検出ユニット７３０、不足電圧ロックアウト入力端７３２及び分離式制御インターフェース７１２を含む。昇圧型能動力率改善器７３４は、制御モジュール７３６、昇圧ダイオード７３８及びエネルギー蓄積コンデンサユニット７４０を含む。
【００６９】
昇圧型能動力率改善器７３４は、整流器４０に電気的に接続される。電源変換ユニット７０６は、昇圧型能動力率改善器７３４及び省エネルギーランプユニット５２（図中、第１省エネルギーランプ５０に電気的に接続される）に電気的に接続される。不足電圧ロックアウト検出ユニット７３０は、昇圧型能動力率改善器７３４に電気的に接続される。不足電圧ロックアウト入力端７３２は、不足電圧ロックアウト検出ユニット７３０及び電源変換ユニット７０６に電気的に接続される。分離式制御インターフェース７１２は、不足電圧ロックアウト入力端７３２及び双安定マルチバイブレータ１０４に電気的に接続される。制御モジュール７３６は、整流器４０及び不足電圧ロックアウト検出ユニット７３０に電気的に接続される。昇圧ダイオード７３８の陽極は、制御モジュール７３６及び不足電圧ロックアウト検出ユニット７３０に電気的に接続される。エネルギー蓄積コンデンサユニット７４０は、昇圧ダイオード７３８の陰極及び電源変換ユニット７０６に電気的に接続される。
【００７０】
電源処理ユニット７４２は、省エネルギーランプユニット５２が必要とする電源を出力するために用いられる。状態電位ユニット７４４は、電源処理ユニット７４２が正常に作動（又は正常状態）する際（最初の正常な起動から安定作動までを含む）に必要な正常状態電位、或いは、電源処理ユニット７４２が異常に作動（又は異常状態）する際（最初の起動前から作動中までを含む）に反応して発生する異常状態電位を提供するために用いられる。電源処理ユニット７４２が起動(start-up)状態にある場合を例示すると、状態電位ユニット７４４が提供又は反応する状態電位は、起動に必要な起動電位（又は起動電圧）とすることができる。電源処理ユニット７４２が作動状態にある場合、状態電位ユニット７４４が提供又は反応する状態電位は、検出電位（或いは、不足電圧ロックアウト検出電圧、過電圧保護検出電圧、過電流保護検出電圧などの検出電圧であるが、これらに限定されない）とすることができる。
【００７１】
上述の不足電圧ロックアウト(UVLO:under−voltage lockout)の機能は、電源処理ユニット７４２の入力電圧が低すぎる場合、電源処理ユニット７４２が保護的ロックアウト(protective lockout)を生成し、電源処理ユニット７４２が電源を出力するのを停止させることである。過電圧保護の機能は、電源処理ユニット７４２が出力する電圧が高すぎる場合、電源処理ユニット７４２が電源を出力するのを停止することである。過電流保護の機能は、電源処理ユニット７４２が出力する電流が高すぎる場合、電源処理ユニット７４２が電源を出力するのを停止することである。即ち、電源処理ユニット７４２が正常に作動（又は正常状態）する場合、起動電位又は検出電位は、予め設定された正常電位値である必要がある。
【００７２】
本考案の一実施例における切換方式としては、省エネルギーランプ切換装置１０が制御信号を提供し、分離式制御インターフェース７１２を経由して異常電位値を状態電位ユニット７４４に出力し、電源処理ユニット７４２が電源を出力するのを停止させる。或いは、省エネルギーランプ切換装置１０が制御信号を提供し、分離式制御インターフェース７１２を経由して異常電位値を状態電位ユニット７４４に出力するのを停止し、電源処理ユニット７４２に正常に電源を出力させる。これによって省エネルギーランプの切り換えを実現する。
【００７３】
図４〜図１７は、第１省エネルギーランプ電源供給モジュール７０又は第２省エネルギーランプ電源供給モジュール８０の各種回路構造及び各種組み合わせを示す。例えば、第１省エネルギーランプ電源供給モジュール７０の回路構造を図４に示し、第２省エネルギーランプ電源供給モジュール８０の回路構造を図５に示す。また、例えば、第１省エネルギーランプ電源供給モジュール７０の回路構造を図７に示し、第２省エネルギーランプ電源供給モジュール８０の回路構造を図６に示す。また、例えば、第１省エネルギーランプ電源供給モジュール７０の回路構造を図８に示し、第２省エネルギーランプ電源供給モジュール８０の回路構造も図８に示す。図４、図５、図６、図７、図８、図１２、図１３、図１４、図１５、図１６及び図１７の分離式制御インターフェース７１２は、トランジスタ式又はダイオード式とすることができる。図９及び図１０の分離式制御インターフェース７１２は、補助電源及び一方向回路を含んでもよい。分離式制御インターフェース７１２は、トランジスタ式又はダイオード式とすることができる。
【００７４】
図１８〜図３９を参照する。図１８〜図３９の説明を以下に示す（図中のＢ１は、回路の共同接続部分又は回路のアースである。Ａ１は、名称Ａ１の回路接続ラインであり、ＣＴＲＬ＿Ａは、名称ＣＴＲＬ＿Ａの回路接続ラインであり、ＣＴＲＬ＿Ｂは、名称ＣＴＲＬ＿Ｂの回路接続ラインである。同一名称の回路接続ラインを有する回路図の同一名称の回路接続ラインは、互いに電気的接続関係を有する）。
【００７５】
図１８は、整流器４０を示す回路図である。
【００７６】
図１９は、初期状態セレクタ１０６の接続方式１を示す回路図である。
【００７７】
図２０は、初期状態セレクタ１０６の接続方式２を示す回路図である。
【００７８】
図２１は、初期状態セレクタ１０６の接続方式３を示す回路図である。
【００７９】
図２２は、初期状態セレクタ１０６の接続方式４を示す回路図である。
【００８０】
図２３は、図４の実施例１を示す回路図である。図中、省エネルギーランプユニット５２は、蛍光灯(Fluorescent Lamp)である。電源変換ユニット７０６は、分離式(discrete)素子からなる。巻線Ｔ１Ａ、Ｔ１Ｂ及びＴ１Ｃは、同一の変圧器に位置する。
【００８１】
図２４は、図４の実施例２を示す回路図である。図中、省エネルギーランプユニット５２は、蛍光灯である。電源変換ユニット７０６は、制御集積回路(Integrated Circuit)Ｕ５を含む。制御集積回路Ｕ５は、ＩＲ(International Rectifier)社が生産するＩＲ２５２０Ｄ制御集積回路である。
【００８２】
図２５は、図４の実施例３を示す回路図である。図中、省エネルギーランプユニット５２は、ＬＥＤである。電源変換ユニット７０６は、分離式素子からなる。巻線Ｔ７Ａ、Ｔ７Ｂ及びＴ７Ｃは、同一の変圧器に位置する。
【００８３】
図２６は、図４の実施例４を示す回路図である。図中、省エネルギーランプユニット５２は、ＬＥＤである。電源変換ユニット７０６は、制御集積回路Ｕ１を含む。制御集積回路Ｕ１は、iWatt社が生産するｉＷ１６９２制御集積回路である。巻線Ｔ２Ａ、Ｔ２Ｂ及びＴ２Ｃは、同一の変圧器に位置する。
【００８４】
図２７は、図５の実施例を示す回路図である。図中、省エネルギーランプユニット５２は、ＬＥＤである。電源変換ユニット７０６は、制御集積回路Ｕ２を含む。制御集積回路Ｕ２は、Maxim社が生産するＭＡＸ１６８０１Ｂ制御集積回路である。巻線Ｔ４Ａ、Ｔ４Ｂ及びＴ４Ｃは、同一の変圧器に位置する。
【００８５】
図２８は、図６の実施例を示す回路図である。図中、省エネルギーランプユニット５２は、ＬＥＤである。
【００８６】
図２９は、図７の実施例を示す回路図である。図中、省エネルギーランプユニット５２は、ＬＥＤである。電源変換ユニット７０６は、制御集積回路Ｕ３を含む。制御集積回路Ｕ３は、Maxictech社が生産するＭＴ７９２０制御集積回路である。巻線Ｔ５Ａ、Ｔ５Ｂ及びＴ５Ｃは、同一の変圧器に位置する。
【００８７】
図３０は、図９の実施例を示す回路図である。図中、省エネルギーランプユニット５２は、ＬＥＤである。電源変換ユニット７０６は、制御集積回路Ｕ４を含む。制御集積回路Ｕ４は、Maxictech社が生産するＭＴ７９２０制御集積回路である。巻線Ｔ６Ａ、Ｔ６Ｂ及びＴ６Ｃは、同一の変圧器に位置する。
【００８８】
図３１は、図１１の実施例を示す回路図である。図中、省エネルギーランプユニット５２は、ＬＥＤである。
【００８９】
図３２は、図１２の実施例１を示す回路図である。図中、省エネルギーランプユニット５２は、蛍光灯である。電源変換ユニット７０６は、分離式素子からなる。力率改善器７２８は、受動力率改善器である。巻線Ｔ９Ａ、Ｔ９Ｂ及びＴ９Ｃは、同一の変圧器に位置する。
【００９０】
図３３は、図１２の実施例２を示す回路図である。図中、省エネルギーランプユニット５２は、蛍光灯である。電源変換ユニット７０６は、分離式素子からなる。力率改善器７２８は、能動力率改善器である。力率改善器７２８は、制御集積回路Ｕ６を含む。制御集積回路Ｕ６は、ＳＴＭicroelectronics社が生産するＬ６５６２制御集積回路である。巻線Ｔ３Ａ、Ｔ３Ｂ及びＴ３Ｃは、一方の変圧器に位置する。巻線Ｔ８Ａ及びＴ８Ｂは、他方の変圧器に位置する。
【００９１】
図３４は、図１３の実施例を示す回路図である。図中、省エネルギーランプユニット５２は、ＬＥＤである。電源変換ユニット７０６は、制御集積回路Ｕ８を含む。制御集積回路Ｕ８は、Maxim社が生産するＭＡＸ１６８０１Ｂ制御集積回路である。力率改善器７２８は、受動力率改善器である。巻線Ｔ１４Ａ、Ｔ１４Ｂ及びＴ１４Ｃは、同一の変圧器に位置する。
【００９２】
図３５は、図１５の実施例を示す回路図である。図中、省エネルギーランプユニット５２は、ＬＥＤである。電源変換ユニット７０６は、制御集積回路Ｕ１０を含む。制御集積回路Ｕ１０は、Maxim社が生産するＭＡＸ１６８０１Ｂ制御集積回路である。力率改善器７２８は、能動力率改善器である。力率改善器７２８は、制御集積回路Ｕ９を含む。制御集積回路Ｕ９は、STMicroelectronics社が生産するＬ６５６２制御集積回路である。巻線Ｔ１６Ａ、Ｔ１６Ｂ及びＴ１６Ｃは、一方の変圧器に位置する。巻線Ｔ１５Ａ及びＴ１５Ｂは、他方の変圧器に位置する。
【００９３】
図３６は、図１６の実施例を示す回路図である。図中、省エネルギーランプユニット５２は、蛍光灯である。電源変換ユニット７０６は、分離式素子からなる。制御モジュール７３６は、制御集積回路Ｕ７を含む。制御集積回路Ｕ７は、STMicroelectronics社が生産するＬ６５６２制御集積回路である。巻線Ｔ１２Ａ、Ｔ１２Ｂ及びＴ１２Ｃは、一方の変圧器に位置する。巻線Ｔ１１Ａ及びＴ１１Ｂは、他方の変圧器に位置する。
【００９４】
図３７は、図１７の実施例を示す回路図である。図中、省エネルギーランプユニット５２は、ＬＥＤである。電源変換ユニット７０６は、制御集積回路Ｕ１２を含む。制御集積回路Ｕ１２は、Maxim社が生産するＭＡＸ１６８０１Ｂ制御集積回路である。制御モジュール７３６は、制御集積回路Ｕ１１を含む。制御集積回路Ｕ１１は、STMicroelectronics社が生産するＬ６５６２制御集積回路である。巻線Ｔ１８Ａ、Ｔ１８Ｂ及びＴ１８Ｃは、一方の変圧器に位置する。巻線Ｔ１７Ａ及びＴ１７Ｂは、他方の変圧器に位置する。
【００９５】
図１９〜図２２の回路図中のバイポーラジャンクショントランジスタ（Bipolar Junction Transistor;BJT)Ｔ１、Ｔ２、Ｔ３、Ｔ４、Ｔ５、Ｔ６、Ｔ７及びＴ８は、電界効果トランジスタ(Field−Effect Transistor；FET)に変更することができ、上述の効果と同一の効果を実現することができる。
【００９６】
上述の図４、図５、図６、図７、図８、図１２、図１３、図１４、図１５、図１６及び図１７の分離式制御インターフェース７１２は、トランジスタ式又はダイオード式とすることができる。さらに説明すると、図２３〜図２９及び図３２〜図３７の回路図中の分離式制御インターフェース７１２は、トランジスタ式分離式制御インターフェース７１２であり、バイポーラジャンクショントランジスタ（回路図中の符号は、それぞれＱ１２、Ｑ２１、Ｑ２２、Ｑ１４、Ｑ１９、Ｑ１７、Ｑ２０、Ｑ２６、Ｑ８、Ｑ３６、Ｑ３８、Ｑ２９、Ｑ４１である）及びベース(base)抵抗ユニット（回路図中の符号は、それぞれＲ６１、Ｒ７１、Ｒ７２、Ｒ６２、Ｒ６７、Ｒ６５、Ｒ６９、Ｒ９９、Ｒ７８、Ｒ１４１、Ｒ１４９、Ｒ１１１、Ｒ１６６である）を含む。バイポーラジャンクショントランジスタ（回路図中の符号は、それぞれＱ１２、Ｑ２１、Ｑ２２、Ｑ１４、Ｑ１９、Ｑ１７、Ｑ２０、Ｑ２６、Ｑ８、Ｑ３６、Ｑ３８、Ｑ２９、Ｑ４１である）は、ダイオードに置換してもよく、この場合、ベース抵抗ユニット（回路図中の符号は、それぞれＲ６１、Ｒ７１、Ｒ７２、Ｒ６２、Ｒ６７、Ｒ６５、Ｒ６９、Ｒ９９、Ｒ７８、Ｒ１４１、Ｒ１４９、Ｒ１１１、Ｒ１６６である）を除去して直接リードに置換することができる。図３８を参照する。図３８は、図４、図５、図６、図７、図８、図１２、図１３、図１４、図１５、図１６及び図１７に示される分離式制御インターフェース７１２のダイオード式分離式制御インターフェース７１２の実施例を示す回路図である。ダイオードＤ９８の陰極は、双安定マルチバイブレータ１０４のＣＴＲＬ＿Ａ又はＣＴＲＬ＿Ｂに電気的に接続される。ダイオードＤ９８の陽極は、起動入力端７１０又は不足電圧ロック入力端７３２又はスイッチ制御入力端７２２に電気的に接続される。上述の図２３〜図２９及び図３２〜図３７の回路図中のバイポーラジャンクショントランジスタ（回路図中の符号は、それぞれＱ１２、Ｑ２１、Ｑ２２、Ｑ１４、Ｑ１９、Ｑ１７、Ｑ２０、Ｑ２６、Ｑ８、Ｑ３６、Ｑ３８、Ｑ２９、Ｑ４１である）は、電界効果トランジスタに置換してもよく、この場合、ベース抵抗ユニット（回路図中の符号は、それぞれＲ６１、Ｒ７１、Ｒ７２、Ｒ６２、Ｒ６７、Ｒ６５、Ｒ６９、Ｒ９９、Ｒ７８、Ｒ１４１、Ｒ１４９、Ｒ１１１、Ｒ１６６である）を除去して直接リードに置換することができる。
【００９７】
上述の図９及び図１０の分離式制御インターフェース７１２は、補助電源及び一方向回路を含んでもよい。分離式制御インターフェース７１２は、トランジスタ式又はダイオード式とすることができる。さらに説明すると、図３０中の分離式制御インターフェース７１２は、トランジスタ式分離式制御インターフェース７１２であり、バイポーラジャンクショントランジスタ（回路図中の符号は、Ｑ１０である）及びベース(base)抵抗ユニット（回路図中の符号は、Ｒ４９である）を含む。バイポーラジャンクショントランジスタＱ１０は、ダイオードに置換してもよく、この場合、ベース抵抗ユニットＲ４９を除去して直接リードに置換することができる。図３９を参照する。図３９は、上述の図９及び図１０における分離式制御インターフェース７１２のダイオード式分離式制御インターフェース７１２の実施例を示す回路図である。ダイオードＤ９９の陰極は、双安定マルチバイブレータ１０４のＣＴＲＬ＿Ａ又はＣＴＲＬ＿Ｂに電気的に接続される。ダイオードＤ９９の陽極は、ダイオードＤ１００の陽極に電気的に接続される。上述の図３０のバイポーラジャンクショントランジスタＱ１０は、電界効果トランジスタに置換してもよく、この場合、ベース抵抗ユニットＲ４９を除去して直接リードに置換することができる。上述の図９及び図１０の分離式制御インターフェース７１２は、補助電源及び一方向回路を含んでもよい。さらに説明すると、図３０に示すように、上述の補助電源は、抵抗Ｒ５７、抵抗Ｒ５８及びコンデンサＣ４０を含んでもよい。上述の一方向回路は、ダイオードＤ４０を含んでもよい。図３９に示すように、上述の補助電源は、抵抗Ｒ９７、抵抗Ｒ１０９及びコンデンサＣ１３３を含んでもよい。上述の一方向回路は、ダイオードＤ１００を含んでもよい。
【００９８】
上述の実施例の回路図は、本考案の実施方式を示し、電源変換ユニット７０６を分離式素子のみから構成してもよかったり、或いは、電源変換ユニット７０６が制御集積回路を含んでもよかったりすることを説明するために用いられる。力率改善器７２８は、能動又は受動の力率改善器７２８とすることができる。
【００９９】
本考案の省エネルギーランプ電源供給モジュールは、コストが低く、消費電力が少なく、信頼性の高い省エネルギーランプ切換装置に適用できる。
【０１００】
以上の説明は、本考案の好適な実施例を示すものであり、本考案の保護範囲を限定するものではない。従って、本考案の明細書及び図面の同等効果である変更は、何れも本考案の保護範囲に含まれる。
【符号の説明】
【０１０１】
１０  省エネルギーランプ切換装置
１０２  電気エネルギー貯蔵ユニット
１０２０２  第７抵抗ユニット
１０２０４  第８抵抗ユニット
１０２０６  第３コンデンサユニット
１０２０８  第３ダイオード
１０２１０  第４コンデンサユニット
１０２１２  ツェナーダイオード
１０４  双安定マルチバイブレータ
１０４０２  第１抵抗ユニット
１０４０４  第２抵抗ユニット
１０４０６  第１トランジスタ
１０４０８  第２トランジスタ
１０４１０  第３抵抗ユニット
１０４１２  第４抵抗ユニット
１０４１４  第１ダイオード
１０４１６  第２ダイオード
１０４１８  第５抵抗ユニット
１０４２０  第６抵抗ユニット
１０４２２  第１コンデンサユニット
１０４２４  第２コンデンサユニット
１０６  初期状態セレクタ
１０６０２  初期状態コンデンサユニット
１０８  切換信号入力端
２０  交流電源装置
３０  スイッチ
４０  整流器
５０  第１省エネルギーランプ
５２  省エネルギーランプユニット
６０  第２省エネルギーランプ
７０  第１省エネルギーランプ電源供給モジュール
７０２  ダイオード
７０４  入力端フィルタコンデンサユニット
７０６  電源変換ユニット
７０８  起動ユニット
７１０  起動入力端
７１２  分離式制御インターフェース
７１８  電子式スイッチ
７２０  バイアス電圧ユニット
７２２  スイッチ制御入力端
７２４  過電圧保護入力端
７２６  過電流保護入力端
７２８  力率改善器
７３０  不足電圧ロックアウト検出ユニット
７３２  不足電圧ロックアウト入力端
７３４  昇圧型能動力率改善器
７３６  制御モジュール
７３８  昇圧ダイオード
７４０  エネルギー蓄積コンデンサユニット
７４２  電源処理ユニット
７４４  状態電位ユニット
８０  第２省エネルギーランプ電源供給モジュール
【図１】
0003198077.tif 000003
【図２】
0003198077.tif 000004
【図３】
0003198077.tif 000005
【図４】
0003198077.tif 000006
【図５】
0003198077.tif 000007
【図６】
0003198077.tif 000008
【図７】
0003198077.tif 000009
【図８】
0003198077.tif 000010
【図９】
0003198077.tif 000011
【図１０】
0003198077.tif 000012
【図１１】
0003198077.tif 000013
【図１２】
0003198077.tif 000014
【図１３】
0003198077.tif 000015
【図１４】
0003198077.tif 000016
【図１５】
0003198077.tif 000017
【図１６】
0003198077.tif 000018
【図１７】
0003198077.tif 000019
【図１８】
0003198077.tif 000020
【図１９】
0003198077.tif 000021
【図２０】
0003198077.tif 000022
【図２１】
0003198077.tif 000023
【図２２】
0003198077.tif 000024
【図２３】
0003198077.tif 000025
【図２４】
0003198077.tif 000026
【図２５】
0003198077.tif 000027
【図２６】
0003198077.tif 000028
【図２７】
0003198077.tif 000029
【図２８】
0003198077.tif 000030
【図２９】
0003198077.tif 000031
【図３０】
0003198077.tif 000032
【図３１】
0003198077.tif 000033
【図３２】
0003198077.tif 000034
【図３３】
0003198077.tif 000035
【図３４】
0003198077.tif 000036
【図３５】
0003198077.tif 000037
【図３６】
0003198077.tif 000038
【図３７】
0003198077.tif 000039
【図３８】
0003198077.tif 000040
【図３９】
0003198077.tif 000041